(57)【要約】  人がベッドの側部での座位から立位へ移行することを補助するための座位からの立ち上がり用フレームであって、左および右アーム部材であってその間に結合される横断部材により分離される左および右アーム部材と、人の重みをアーム部材からアンカーポイントへ移すために、アーム部材に結合された固定部とを含み、左および右アーム部材の上部は、その間に座る人のそれぞれの左および右腕と係合するためにベッドのマットレスの上面の上方に支持される、座位からの立ち上がり用フレーム。
2016527980.tif 000002
【特許請求の範囲】
【請求項１】
人がベッドの側部での座位から立位へ移行することを補助するための座位からの立ち上がり用フレームであって、
（ａ）左および右アーム部材であって、その間に結合される横断部材により分離される左および右アーム部材と、
（ｂ）前記人の重みを前記アーム部材からアンカーポイントへ移すために、前記アーム部材に結合された固定部と、を含み、
前記左および右アーム部材の上部は、その間に座る前記人のそれぞれの左および右腕に係合するために前記ベッドのマットレスの上面の上方に支持される、座位からの立ち上がり用フレーム。
【請求項２】
前記アーム部材は、前記上部と前記固定部との間に結合された伝達部を含み、前記伝達部は、前記上部を前記ベッドの前記マットレスの前記上面の上方で支持する、請求項１に記載のフレーム。
【請求項３】
前記固定部は、左および右アーム部材のそれぞれから下方に延在する左および右支柱を含む、請求項１または２に記載のフレーム。
【請求項４】
前記左および右支柱は、床または地面に向かって下方に延在する、請求項３に記載のフレーム。
【請求項５】
前記左および右支柱の長さは調節可能である、請求項３または４に記載のフレーム。
【請求項６】
前記左および右支柱はゴム足を含む、請求項３〜５のいずれか一項に記載のフレーム。
【請求項７】
前記左および右支柱は、前記ベッドのフレームとの係合のために下方に延在する、請求項３に記載のフレーム。
【請求項８】
前記左および右支柱は、前記ベッドの前記フレームとの係合のために配置される横断フレーム係合部材を含む、請求項７に記載のフレーム。
【請求項９】
前記左および右支柱の長さは調節可能である、請求項７または８に記載のフレーム。
【請求項１０】
前記左および右支柱は、前記支柱が展開された使用状態と折りたたまれた使用状態との間を揺動可能に前記左および右アーム部材それぞれのヒンジに結合される、請求項３〜９のいずれか一項に記載のフレーム。
【請求項１１】
各ヒンジは、前記支柱のそれぞれにより分離された第１および第２プレートと、前記プレートおよび当該支柱を通って延在する枢支ピンとを含む、請求項１０に記載のフレーム部材。
【請求項１２】
各ヒンジは、当該支柱を展開された使用状態へ固定するための係止ピンを含む、請求項１１に記載のフレーム部材。
【請求項１３】
各ヒンジは、当該支柱を折りたたまれた使用状態に固定するための係止ピンを含む、請求項１１または１２に記載のフレーム部材。
【請求項１４】
前記アーム部材の上部および下部が、前記アーム部材の上部がそれぞれの下部から中へ段付けされるように横方向に変位される、請求項１〜１３のいずれか一項に記載のフレーム。
【請求項１５】
前記アーム部材が角度Ａだけ垂直から傾斜する、請求項１４に記載のフレーム。
【請求項１６】
前記Ａが１０度〜１５度である請求項１５に記載のフレーム部材。
【請求項１７】
前記Ａが１２度である請求項１５に記載のフレーム部材。
【請求項１８】
前記左および右アーム部材および前記横断部材が一体的に作製される、請求項１〜１７のいずれか一項に記載のフレーム。
【請求項１９】
前記アーム部材および前記横断部材が、前記マットレスの前記上面上に平らに横たわる三面のベースを形成する、請求項１〜１８のいずれか一項に記載のフレーム。
【請求項２０】
前記アーム部材の前記上部が、上部手すりであって、前記ユーザが前記座位において前記手すりを把持し、前記フレームを経て下方に押し、直立することを可能にする、上部手すりを形成する、請求項１〜１１９のいずれか一項に記載のフレーム。
【請求項２１】
実質的に添付図面を参照して上記で説明されたとおりの座位からの立ち上がり用フレーム。
【発明の詳細な説明】
【技術分野】
【０００１】
本発明は座位からの立ち上がり用フレームに関する。
【背景技術】
【０００２】
転倒は、個人および医療制度にとって、健康の負担の増加の可能性がある。入院患者の転倒すなわち入院中の転倒は、死亡率、疾病率の増加および退院時期の遅れの主要な要因の１つである。転倒は、また、より広いコミュニティー全体にとって、医療費の増加の原因となる。
【０００３】
可動性の減少、機能低下および転倒のリスクの増大は、患者の健康および福祉（ｗｅｌｌｂｅｉｎｇ）に対して危険を及ぼす可能性があるだけでなく、それらの患者をケアすることを課せられたスタッフの健康および福祉にも深刻な脅威をもたらす。
【０００４】
多くの研究が過去数十年にわたって行われてきており、相当な量の時間とお金が公衆衛生キャンペーンに費やされ、転倒リスクの低減における社会の認識および教育の向上を促している。手作業による実務が過去数十年にわたって発展してきており、スタッフおよび介護人が、彼らの患者、クライアントまたは大切な人のために、等しく安全に世話をするのを補助するために用いられる、多くの小型機械装置、デバイス、機械および手作業による方策がある。
【０００５】
患者が、安全にかつ自信をもって、自身へのリスクが低い状態かつ補助者からの最低限の補助で、ベッドの縁で座位から立ち上がることを可能にする装置または他の器具を提供することが望ましい。
【０００６】
上記の困難の１つまたは複数を克服するもしくは改善する、または少なくとも有用な代替物を提供することが望ましい。
【発明の概要】
【０００７】
本発明では、人がベッドの側部での座位から立位へ移行することを補助するための座位からの立ち上がり用フレームであって、
（ａ）左および右アーム部材であって、その間に結合される横断部材により分離される左および右アーム部材と、
（ｂ）前記人の重みを前記アーム部材からアンカーポイントへ移すために、前記アーム部材に結合された固定部と、を含み、
前記左および右アーム部材の上部は、その間に座る前記人のそれぞれの左および右腕に係合するために前記ベッドのマットレスの上面の上方に支持される、座位からの立ち上がり用フレームが提供される。
【０００８】
好ましくは、前記アーム部材は、前記上部と前記固定部との間に結合された伝達部を含み、前記伝達部は、前記上部を前記ベッドの前記マットレスの前記上面の上方で支持する。
【０００９】
好ましくは、前記固定部は、左および右アーム部材のそれぞれから下方に延在する左および右支柱を含む。好ましくは、前記左および右支柱は、床または地面に向かって下方に延在する。あるいは、好ましくは、前記左および右支柱は、前記ベッドのフレームとの係合のために下方に延在する。
【００１０】
本発明の好ましい実施形態が、非限定的な例のみで添付図面を参照して以下に説明される。
【図面の簡単な説明】
【００１１】
【図１】座位からの立ち上がり用フレームの斜視図である。
【図２】図１に示される座位からの立ち上がり用フレームの左側面図である。
【図３】図１に示される座位からの立ち上がり用フレームの平面図である。
【図４】ベッドの側部へ嵌合された図１に示される座位からの立ち上がり用フレームの右側面図である。
【図５】図４に示される座位からの立ち上がり用フレームおよびベッドの平面図である。
【図６】代替的固定部を備える図１に示されるフレームの左側面図である。
【図７】ベッドに嵌合された図６に示されるフレームの左側面図である。
【図８】別の座位からの立ち上がり用フレームの左側面図である。
【図９】別の使用状態において配置された図８に示されるフレームの左側面図である。
【図１０】図８に示されるフレームの平面図である。
【図１１】図８に示されるフレームの端面図である。
【発明を実施するための形態】
【００１２】
図１〜３に示される座位からの立ち上がり用フレーム１０は、図４および５に示される方法でベッド１２の側部へ嵌合され得る。フレーム１０は、人（図示せず）がベッド１２の側部での座位から立位へ移行することを支援するのに使用され得る。フレーム１０は、機能低下および可動性の低下（特に脚力および不均衡）を患う人が、独自にまたは他人の補助を受けて、ベッド１２の縁での座位から立位へ安全に移行することを可能にするという目的が意図されている。フレーム１０は、人の周りに肘掛椅子のような形状を形成し、それにより彼または彼女はフレーム１０を使用して安全にかつ補助者からの最低限の補助により自分自身を立位へ押し上げることができる。
【００１３】
フレーム１０は、左および右アーム部材１４ａ、１４ｂであって、それらの間に結合される横断部材１６によって分離される左および右アーム部材１４ａ、１４ｂを含む。フレーム１０はまた、人の重みをアーム部材１４ａ、１４ｂからアンカーポイント２０へ伝達するために、アーム部材１４ａ、１４ｂに結合された固定部１８を含む。左および右アーム部材１４ａ、１４ｂの上部２２ａ、２２ｂは、その間に座る人の左および右腕（図示せず）のそれぞれと係合するために、ベッド１２のマットレス２６の上面２４の上方に支持される。
【００１４】
アーム部材１４ａ、１４ｂは、上部２２ａ、２２ｂと固定部１８との間に結合された伝達部２８ａ、２８ｂを含む。伝達部２８ａ、２８ｂは、アーム部材１４ａ、１４ｂの上部２２ａ、２２ｂをベッド１２のマットレス２６の上面２４の上方で支持する。
【００１５】
固定部１８は、左および右アーム部材１４ａ、１４ｂのそれぞれから下方に延在する左および右支柱３０ａ、３０ｂを含む。左および右支柱３０ａ、３０ｂは、示される例においては床または地面であるアンカーポイント２０に向かって下方に延在する。
【００１６】
左および右支柱３０ａ、３０ｂの長さＨＰは、調節可能である。示される例において、支柱３０ａ、３０ｂの各々は、上方部分および下方部分で形成され、それにより、下方部分は、対応する上方部分の内側をスライドして支柱の全高を短くするのに好適な寸法である。下方支柱は、上方支柱に対する位置に締結具によりロックされる。代替的に、支柱３０ａ、３０ｂは伸縮式、または長さが調節可能である他の任意の好適な構成である。
【００１７】
左および右支柱３０ａ、３０ｂは、各々フレーム１０と床２０との間に摩擦面を提供するゴム足３２を含み、フレーム１０が滑るリスクを低減させる。
【００１８】
アーム部材１４ａ、１４ｂの上部２２ａ、２２ｂは、上端手すりであって、ユーザが座位において手すりを把持し、次いでフレーム１０を通して下方に押して直立することを可能にする上端手すりを形成する。
【００１９】
フレーム１０は好ましくは以下の寸法を有する。
ＬＥＥ＝６５０ｍｍ
ＬＡＥ＝４４０ｍｍ
ＬＥＡ＝２１０ｍｍ
ＬＰＥ＝４３０ｍｍ
ＬＵＵ＝５４１ｍｍ
Ｔ＝２５ｍｍ
ＷＳＳ＝６３０ｍｍ〜６７０ｍｍ
Ｓ＝１３０ｍｍ
ＨＲＲ＝１７０ｍｍ〜１８０ｍｍ
ＨＰ＝４９１ｍｍ〜７００ｍｍ
ＨＰＦ＝５００ｍｍ
ＨＰＡ＝２５０ｍｍ
【００２０】
これらの寸法は、フレーム１０の例示的な実施形態のため、および（後述する）フレーム１００のためであり、かつ、当然のことながら異なるサイズのベッドおよび異なるサイズの人に対応するために変化し得る。
【００２１】
フレーム１０は、好ましくは、曲げられかつ溶接されて形成されるステンレス鋼、アルミニウム管材で作製されている。代替的に、フレーム１０は他の任意の好適な材料で作製され得、各部は、他の任意の好適な方法で結合され得る。左および右アーム部材１４ａ、１４ｂならびに横断部材１６は好ましくは一体的に形成される。
【００２２】
アーム部材１４ａ、１４ｂおよび横断部材１６は、マットレス２６の上面２４上に平らに横たわる三面のベースを形成する。フレーム１０の前側は、患者がアクセスするために開いたままとされる。
【００２３】
図６および７に示される代替的配置構成において、フレーム１０の左および右支柱３０ａ、３０ｂは、ベッド１２のフレーム３３と係合するために下方に延在する。左および右支柱３０ａ、３０ｂは、ベッド１２のフレーム３３と係合するために配置される横断フレーム係合部材３４を含む。示される例において、フレーム係合部材は、マットレス２６とフレーム３４との間に延在する。マットレス２６の重量がフレーム１０を位置決めする。代替的に、フレーム係合部材３４は、ベッドのフレーム３３に締結具（図示せず）で結合されるよう適合される。例えば、締結具は、クランプまたはストラップであり得る。
【００２４】
ここでも、左および右支柱３０ａ、３０ｂの長さＨＰは調節可能である。示される例において、支柱３０ａ、３０ｂの各々は、上方部分および下方部分で形成され、それにより下方部分が対応する上方部分の内側をスライドして支柱の全高を短くするのに好適な寸法である。下方支柱は、上方支柱に対する位置に締結具によりロックされる。代替的に、左および右支柱３０ａ、３０ｂは、長さが調節可能である他の任意の好適な構成である。
【００２５】
代替的な、座位からの立ち上がり用フレーム１００が図８および９に示される。代替的フレーム１００は、フレーム１０の特徴の多くを含んでおり、同様の部分は同様の数字で参照される。さらに、フレーム１００は、左および右支柱３０ａ、３０ｂをフレーム１００のそれぞれの伝達部２８ａ、２８ｂに結合するために２つのヒンジ、ヒンジ１０２ａ、１０２ｂを含む。
【００２６】
ヒンジ１０２ａ、１０２ｂは、各々間隙により分離された第１および第２プレート１０４を含む。支柱３０ａ、３０ｂは、それぞれのヒンジ１０２ａ、１０２ｂのプレート１０４間に嵌合するよう成形される。支柱３０ａ、３０ｂは、枢支ピン１０６によって、ヒンジ１０２ａ、１０２ｂに固定される。枢支ピン１０６は、支柱３０ａ、３０ｂが図８に示される展開された使用状態と図９に示される折りたたまれた使用状態との間で揺動することを許容する。支柱３０ａ、３０ｂは、係止ピン１０８により展開された使用状態に固定される。同様に、支柱３０ａ、３０ｂは、係止ピン１１０により折りたたまれた使用状態に固定される。係止ピン１０８および１１０は、好ましくは、プレート１０４および支柱３０ａ、３０ｂの対応する孔を通って延在する。代替的に、係止ピン１０８および１１０は、１つのプレート１０４を通って、少なくとも部分的に支柱３０ａ、３０ｂの対応する孔内に延在する。
【００２７】
特に図１０および１１に示されるとおり、フレーム１００のアーム部材１４ａ、１４ｂの上部２２ａ、２２ｂは、フレーム１００の積み重ね適性を向上させるため中へ段付けされる。これを容易にするため、アーム部材１４ａ、１４ｂは、角度「Ａ」だけ垂直から傾斜し、「Ａ」は好ましくは１０度〜１５度である。一実施形態において、「Ａ」は１２度である。当然のことながら、角度「Ａ」は、フレーム１００を容易に順に積み重ねることを促進する他の任意の好適な角度であり得る。
【００２８】
図面には示されていないが、フレーム１０のアーム部材１４ａ、１４ｂの上部２２ａ、２２ｂも、フレーム１０を順に重ねる積み重ね適性を向上させるため中へ段付けされ得る。アーム部材１４ａ、１４ｂは、垂直から角度「Ａ」だけ傾斜し、「Ａ」は好ましくは１０度〜１５度である。「Ａ」は好ましくは１２度である。当然のことながら、角度「Ａ」は、フレーム１０を容易に順に積み重ねることを促進する他の任意の好適な角度であり得る。
【００２９】
本発明の範囲から逸脱することなく、多くの変形例が当業者には明らかであろう。
【００３０】
本明細書を通じて、文脈上他に要求されない限り、用語「備える（ｃｏｍｐｒｉｓｅ）」、ならびに例えば、「備える（ｃｏｍｐｒｉｓｅｓ）」および「備える（ｃｏｍｐｒｉｓｉｎｇ）」などのバリエーションは、述べられた完全体（ｉｎｔｅｇｅｒ）もしくはステップまたは完全体もしくはステップのグループの包含を暗示するが、他の任意の完全体もしくはステップまたは完全体もしくはステップのグループの排除を暗示しないものとして理解される。
【００３１】
本明細書におけるいずれの先行技術への言及も、先行技術がオーストラリアにおける共通の一般的知識の一部を形成するということを自認するものでも、そのいかなる形態の示唆でもなく、かつそのように解釈されるべきではない。
【図１】
2016527980.tif 000003
【図２】
2016527980.tif 000004
【図３】
2016527980.tif 000005
【図４】
2016527980.tif 000006
【図５】
2016527980.tif 000007
【図６】
2016527980.tif 000008
【図７】
2016527980.tif 000009
【図８】
2016527980.tif 000010
【図９】
2016527980.tif 000011
【図１０】
2016527980.tif 000012
【図１１】
2016527980.tif 000013
【国際調査報告】
2016527980.tif 000014
2016527980.tif 000015
2016527980.tif 000016
2016527980.tif 000017
2016527980.tif 000018
2016527980.tif 000019
2016527980.tif 000020
2016527980.tif 000021
2016527980.tif 000022
2016527980.tif 000023
2016527980.tif 000024
2016527980.tif 000025
2016527980.tif 000026
2016527980.tif 000027
2016527980.tif 000028
2016527980.tif 000029
2016527980.tif 000030
2016527980.tif 000031
2016527980.tif 000032
2016527980.tif 000033